(57)【要約】      （修正有）【課題】撮像された画像の変化を検知した場合に、画像形成装置の利用者の属性に応じた方法により報知を行うことが可能な画像形成装置、システム、制御方法及びプログラムを提供する。【解決手段】システム１において、ジョブに基づいて画像形成を行う画像形成装置１０であって、画像形成装置の利用者を認証する認証部と、画像を撮像し記憶する撮像装置２０から画像を取得する取得部と、画像に生じた変化を検知する検知部と、検知部によって画像の変化が検知された場合、利用者の属性に応じた方法によって報知する報知部と、を備える。【選択図】図１
2020178188.tif 000002
【特許請求の範囲】
【請求項１】
ジョブに基づいて画像形成を行う画像形成装置であって、
前記画像形成装置の利用者を認証する認証部と、
画像を撮像し記憶する撮像装置から前記画像を取得する取得部と、
前記画像に生じた変化を検知する検知部と、
前記検知部によって前記画像の変化が検知された場合、前記利用者の属性に応じた方法によって報知する報知部と、
を備えることを特徴とする画像形成装置。
【請求項２】
情報を表示する表示部を更に備え、
前記報知部は、前記利用者の属性が管理者である場合は前記表示部に前記画像の変化が検知されたことを示す第１の通知の表示を行い、前記利用者の属性が一般利用者である場合は前記第１の通知よりも小さく、前記画像の変化が検知されたことを示す第２の通知の表示を行うことを特徴とする請求項１に記載の画像形成装置。
【請求項３】
光源の明滅が可能な発光部を更に備え、
前記報知部は、前記利用者の属性が管理者である場合は前記光源を点灯させることを特徴とする請求項１又は２に記載の画像形成装置。
【請求項４】
利用者が使用する情報処理装置と通信を行う通信部を更に備え、
前記報知部は、属性が管理者である利用者が使用する前記情報処理装置に、前記画像の変化が検知されたことを示す情報を送信することを特徴とする請求項１から３のいずれか一項に記載の画像形成装置。
【請求項５】
ジョブに基づいて画像形成を行う画像形成装置と、情報処理装置とを含むシステムであって、
前記画像形成装置は、
画像を撮像し記憶する撮像装置から前記画像を取得する取得部と、
前記画像に生じた変化を検知する検知部と、
前記検知部によって前記画像の変化が検知された場合、前記情報処理装置を使用するユーザの属性が管理者である前記情報処理装置に前記画像の変化が検知されたことを示す情報を送信する送信部と、
を備え、
前記情報処理装置は、
表示部と、
前記画像の変化が検知されたことを示す情報を受信した場合、前記情報を前記表示部に表示する制御を行う表示制御部と、
を備えたことを特徴とするシステム。
【請求項６】
ジョブに基づいて画像形成を行う画像形成装置における制御方法であって、
前記画像形成装置の利用者を認証する認証ステップと、
画像を撮像し記憶する撮像装置から前記画像を取得する取得ステップと、
前記画像に生じた変化を検知する検知ステップと、
前記検知ステップによって前記画像の変化が検知された場合、前記利用者の属性に応じた方法によって報知する報知ステップと、
を含むことを特徴とする制御方法。
【請求項７】
ジョブに基づいて画像形成を行う画像形成装置のコンピュータに、
前記画像形成装置の利用者を認証する認証機能と、
画像を撮像し記憶する撮像装置から前記画像を取得する取得機能と、
前記画像に生じた変化を検知する検知機能と、
前記検知機能によって前記画像の変化が検知された場合、前記利用者の属性に応じた方法によって報知する報知機能と、
を実現させることを特徴とするプログラム。
【発明の詳細な説明】
【技術分野】
【０００１】
本発明は、画像形成装置等に関する。
【背景技術】
【０００２】
従来、監視カメラの映像の管理や、監視カメラの映像に基づく異常の検知は、ＮＶＲ（Network Video Recorder）等の専用機器又は専用ソフトウェアを搭載したＰＣ（Personal Computer）によって行われている。また、ＮＶＲの代替として画像形成装置を利用して、簡易的な監視システムを構築する技術が開示されている（例えば、特許文献１参照）。
【先行技術文献】
【特許文献】
【０００３】
【特許文献１】特開２００５−１５１２２５
【発明の概要】
【発明が解決しようとする課題】
【０００４】
特許文献１に記載された技術によれば、ＷＥＢカメラによって撮像された撮影画像に変化があった場合に、撮影画像をメール送信させたり、印字出力させたりすることができる。しかし、メール送信や印字出力の動作は、画像形成装置の利用者に対して印刷を待たせてしまう等、利用者による画像形成装置の利用を阻害してしまうという問題があった。また、画像形成装置の動作状態が省エネ状態（省エネルギー状態）であるのにも関わらず、メール送信や印字出力の動作を実行するために、画像形成装置が省エネ状態を解除してしまうといった問題があった。
【０００５】
上述した課題に鑑み、本発明は、撮像された画像の変化を検知した場合に、画像形成装置の利用者の属性に応じた方法により報知を行うことが可能な画像形成装置等を提供することを目的とする。
【課題を解決するための手段】
【０００６】
上述した課題を解決するために、本発明の画像形成装置は、
ジョブに基づいて画像形成を行う画像形成装置であって、
前記画像形成装置の利用者を認証する認証部と、
画像を撮像し記憶する撮像装置から前記画像を取得する取得部と、
前記画像に生じた変化を検知する検知部と、
前記検知部によって前記画像の変化が検知された場合、前記利用者の属性に応じた方法によって報知する報知部と、
を備えることを特徴とする。
【０００７】
本発明のシステムは、
ジョブに基づいて画像形成を行う画像形成装置と、情報処理装置とを含むシステムであって、
前記画像形成装置は、
画像を撮像し記憶する撮像装置から前記画像を取得する取得部と、
前記画像に生じた変化を検知する検知部と、
前記検知部によって前記画像の変化が検知された場合、前記情報処理装置を使用する利用者の属性が管理者である前記情報処理装置に前記画像の変化が検知されたことを示す情報を送信する送信部と、
を備え、
前記情報処理装置は、
表示部と、
前記画像の変化が検知されたことを示す情報を受信した場合、前記情報を前記表示部に表示する制御を行う表示制御部と、
を備えたことを特徴とする。
【０００８】
本発明の制御方法は、
ジョブに基づいて画像形成を行う画像形成装置における制御方法であって、
前記画像形成装置の利用者を認証する認証ステップと、
画像を撮像し記憶する撮像装置から前記画像を取得する取得ステップと、
前記画像に生じた変化を検知する検知ステップと、
前記検知ステップによって前記画像の変化が検知された場合、前記利用者の属性に応じた方法によって報知する報知ステップと、
を含むことを特徴とする。
【０００９】
本発明のプログラムは、
ジョブに基づいて画像形成を行う画像形成装置のコンピュータに、
前記画像形成装置の利用者を認証する認証機能と、
画像を撮像し記憶する撮像装置から前記画像を取得する取得機能と、
前記画像に生じた変化を検知する検知機能と、
前記検知機能によって前記画像の変化が検知された場合、前記利用者の属性に応じた方法によって報知する報知機能と、
を実現させることを特徴とする。
【発明の効果】
【００１０】
本発明によれば、撮像された画像の変化を検知した場合に、画像形成装置の利用者の属性に応じた方法により報知を行うことが可能となる。
【図面の簡単な説明】
【００１１】
【図１】第１実施形態におけるシステムの全体構成を説明するための図である。
【図２】第１実施形態における画像形成装置の機能構成を説明するためのブロック図である。
【図３】第１実施形態における利用者情報のデータ構成の一例を示した図である。
【図４】第１実施形態における撮像装置情報のデータ構成の一例を示した図である。
【図５】第１実施形態における印刷キューのデータ構成の一例を示した図である。
【図６】第１実施形態における撮像装置の機能構成を説明するためのブロック図である。
【図７】第１実施形態における画像形成装置のメイン処理を説明するためのフロー図である。
【図８】第１実施形態におけるイベント検出処理を説明するためのフロー図である。
【図９】第１実施形態におけるログイン処理を説明するためのフロー図である。
【図１０】第１実施形態における動作例を説明するための図である。
【図１１】第１実施形態における動作例を説明するための図である。
【図１２】第２実施形態における画像形成装置の機能構成を説明するためのブロック図である。
【図１３】第２実施形態における画像形成装置のメイン処理を説明するためのフロー図である。
【図１４】第２実施形態におけるログイン処理を説明するためのフロー図である。
【図１５】第２実施形態における動作例を説明するための図である。
【図１６】第３実施形態におけるシステムの全体構成を説明するための図である。
【図１７】第３実施形態における利用者情報のデータ構成の一例を示した図である。
【図１８】第３実施形態における情報処理装置の機能構成を説明するためのブロック図である。
【図１９】第３実施形態における画像形成装置のメイン処理を説明するためのフロー図である。
【図２０】第３実施形態における動作例を説明するための図である。
【図２１】第４実施形態におけるシステムの全体構成を説明するための図である。
【図２２】第４実施形態における画像形成装置のメイン処理を説明するためのフロー図である。
【図２３】第５実施形態における画像形成装置のメイン処理を説明するためのフロー図である。
【図２４】第６実施形態における画像形成装置の機能構成を説明するためのブロック図である。
【図２５】第６実施形態における画像形成装置のメイン処理を説明するためのフロー図である。
【発明を実施するための形態】
【００１２】
以下、本発明の実施の形態について、図面を参照して説明する。なお、本実施形態では、一例として、本発明を適用した画像形成装置を含むシステムについて説明する。
【００１３】
［１．第１実施形態］
［１．１  全体構成］
本実施形態におけるシステム１の全体構成を、図１に基づいて説明する。図１に示すように、システム１は、画像形成装置１０と、撮像装置２０とがネットワークＮＷを介して接続されて構成される。ネットワークＮＷとしては、ＬＡＮ（Local Area Network）が想定されるが、例えば、インターネットであってもよい。
【００１４】
画像形成装置１０は外部から入力される画像データを記録用紙等に画像を形成したりすることで、画像を出力する装置であり、いわゆる複合機と呼ばれる装置である。撮像装置２０は所定の領域の画像を撮像し、撮像して得られた画像を撮像データとして記憶する装置であり、いわゆるネットワークカメラ、ＩＰカメラと呼ばれる装置である。撮像装置２０は、図１の２０ａ、２０ｂに示すように、１つのネットワーク内に複数接続されてもよい。
【００１５】
［１．２  機能構成］
［１．２．１  画像形成装置］
本実施形態における画像形成装置１０の機能構成を、図２に基づいて説明する。図２に示すように、画像形成装置１０は、制御部１００と、画像読取部１１０と、画像処理部１２０と、画像形成部１３０と、表示部１４０と、操作入力部１５０と、通信部１６０と、記憶部１７０とを備えて構成される。
【００１６】
制御部１００は、画像形成装置１０の全体を制御するための機能部である。制御部１００は、例えば、１又は複数の演算装置（ＣＰＵ（Central Processing Unit））等により構成され、各種プログラムを読み出して実行することにより各種機能を実現する。
【００１７】
本実施形態では、制御部１００は、イベント検出部１０２としても機能する。イベント検出部１０２は、撮像データを読み出し、イベントを検出する機能部である。
【００１８】
本実施形態におけるイベントとは、撮像データに基づき検出される特徴的な変化である。イベント検出部１０２がイベントを検出することにより、撮像データに生じた変化が検知される。
【００１９】
また、イベント検出部１０２は、検出したイベントに関する情報をイベント情報として制御部１００に出力する。イベント情報には、イベントが生じた日時やイベントが検出された撮像データを記憶した撮像装置２０を示す情報等が記憶されるイベント詳細情報と、イベントが生じた時点における撮像データの静止画像データである対応画像データとが含まれる。
【００２０】
イベントを検出する方法としては、種々の公知技術を利用することができる。例えば、撮像データが動画像のデータである場合は、イベント検出部１０２は、２つのフレーム画像を順次選択し、フレーム画像間における輝度値や画素値の差分に基づき、フレーム画像間に変化が生じているか否かを判定する。フレーム画像間に変化が生じたと判定した場合は、イベント検出部１０２は、イベントを検出する。このとき、イベント検出部１０２が出力するイベント情報に含む対応画像データは、選択した２つのフレーム画像であってもよいし、２つのフレーム画像のうち、時系列的に後のフレーム画像であってもよい。
【００２１】
また、イベント検出部１０２は、イベントが生じた領域（例えば、輝度値の差分が大きい領域）を解析して、イベントの内容（例えば、人の映り込み、物の置き去り、物の持ち去り）を特定してもよい。この場合、イベント検出部１０２は、イベント詳細情報に、イベントが生じた日時やイベントが検出された撮像データを記憶した撮像装置２０を示す情報等の他に、イベントの内容やイベントが生じた領域を示す座標情報等を含めて出力すればよい。
【００２２】
画像読取部１１０は、原稿の画像を読み取って画像データを生成する機能部である。例えば、画像読取部１１０は、ＣＣＤ（Charge Coupled Device）等の光学情報を電気信号に変換するデバイスを備えたスキャナ装置等により構成される。
【００２３】
画像処理部１２０は、画像データに各種画像処理を施す機能部である。例えば、画像処理部１２０は、画像データの鮮鋭化処理を行ったり、色変換処理を行ったりする。
【００２４】
画像形成部１３０は、画像データを記録媒体（例えば記録用紙）に形成する機能部である。画像形成部１３０は、例えば、電子写真方式を利用したレーザプリンタ等により構成される。
【００２５】
表示部１４０は、利用者に各種情報を表示するための機能部であり、例えばＬＣＤ（Liquid crystal display）等により構成される。また、操作入力部１５０は、利用者による操作指示を受け付けるための機能部であり、各種キースイッチや、接触による入力を検出する装置等により構成される。なお、画像形成装置１０は、表示部１４０と、操作入力部１５０とが一体に形成されるタッチパネルを備えてもよい。この場合において、タッチパネルの入力を検出する方式は、例えば、抵抗膜方式、赤外線方式、電磁誘導方式、静電容量方式といった、一般的な検出方式であればよい。
【００２６】
通信部１６０は、他の装置と接続したり、ネットワークに接続したりして、画像形成装置１０が他の装置との通信を行う機能部である。通信部１６０は、例えば、通信可能なインタフェースとして構成され、接続方法としては有線／無線の何れか又はその両方により実現される。
【００２７】
記憶部１７０は、画像形成装置１０の動作に必要な各種プログラムや、各種データを記憶する機能部である。記憶部１７０は、例えば、半導体メモリであるＳＳＤ（Solid State Drive）や、ＨＤＤ（Hard Disk Drive）等により構成される。
【００２８】
本実施形態において、記憶部１７０は、利用者情報記憶領域１７２と、撮像装置情報記憶領域１７４と、撮像データ記憶領域１７６と、画像データ記憶領域１８０と、ジョブログ記憶領域１８４とを確保し、イベント情報１７８と、印刷キュー１８２とを記憶する。
【００２９】
利用者情報記憶領域１７２は、画像形成装置１０の利用者に関する情報（以下、「利用者情報」という）を記憶する領域である。本実施形態における利用者情報は、例えば図３に示すように、利用者を識別する利用者ＩＤ（例えば、「ｙａｍａｄａ」）と、パスワード（例えば、「aaa123」）と、利用者名（例えば、「山田  太郎」）と、利用者の属性（例えば、「一般利用者」）とによって構成される。
【００３０】
本実施形態では、利用者の属性には、画像形成装置１０に対する立場を示す情報として「一般利用者」又は「管理者」のいずれかが記憶されることとして説明する。属性が「一般利用者」である利用者（以下、「一般利用者」という）は、画像形成装置１０を利用することが可能な利用者である。また、属性が「管理者」である利用者（以下、「管理者」という）は、画像形成装置１０の利用に加えて、画像形成装置１０の管理運用を行ったり、イベントの確認や対応を行ったりする利用者である。
【００３１】
撮像装置情報記憶領域１７４は、ネットワークＮＷに接続される撮像装置２０に関する情報（以下、「撮像装置情報」という）を記憶する領域である。本実施形態における撮像装置情報は、例えば図４に示すように、撮像装置２０を識別する撮像装置ＩＤ（例えば、「１」）と、ネットワークＮＷにおいて撮像装置２０を識別するために割り振られたＩＰアドレス（例えば、「192.168.0.201」）とによって構成される。
【００３２】
撮像データ記憶領域１７６は、撮像装置２０から取得した撮像データを記憶する領域である。撮像データは、例えば、動画像データである。また、撮像データ記憶領域１７６には、撮像データの他に、取得先となった撮像装置２０の情報（例えば、撮像装置ＩＤ）や撮像データを取得した時刻といった、撮像データに関する情報も併せて記憶されてもよい。
【００３３】
イベント情報１７８は、イベント検出部１０２から出力されるイベント情報である。イベント情報１７８には、イベント詳細情報１７８２と対応画像データ１７８４とが含まれる。
【００３４】
本実施形態では、イベント情報１７８は、イベント検出部１０２がイベント情報を出力するたびに記憶されることとする。したがって、１つの撮像データから複数のイベントが検出された場合や、２以上の撮像データからイベントが検出され場合は、複数のイベント情報１７８が記憶される。
【００３５】
画像データ記憶領域１８０は、画像形成部１３０によって出力される画像データを記憶する領域である。画像データ記憶領域１８０には、例えば、画像読取部１１０によって読み取られた原稿の画像データや、通信部１６０を介して外部の装置から送信されたデータに基づく画像データが記憶される。なお、画像データ記憶領域１８０に記憶される画像データは画像データ名によって識別される。
【００３６】
印刷キュー１８２は、画像形成装置１０が実行するジョブのうち印刷ジョブについて、ジョブの内容と実行順序とを記憶したデータである。印刷ジョブとは、画像データ記憶領域１８０に記憶された画像データを画像形成部１３０によって記録媒体に形成されることにより、印刷による出力を行うジョブである。利用者は、印刷キュー１８２に印刷ジョブを記憶（登録）させることにより、印刷を実行することができる。
【００３７】
本実施形態では、印刷キュー１８２に記憶される印刷ジョブは、例えば図５示すように、利用者ＩＤ（例えば、「ｙａｍａｄａ」）と、利用者名（例えば、「山田  太郎」）と、印刷による出力を行う画像データを識別する画像データ名（例えば、「sample.docx」）と、ジョブの実行状況（例えば、「印刷中」）と、優先度（例えば、「通常」）とが記憶される。
【００３８】
優先度には、例えば、「通常」の他に、「高」や「低」が記憶される。この場合、優先度が「高」である印刷ジョブは、優先度が「通常」である印刷ジョブよりも先に実行される印刷ジョブであることを示す。また、優先度が「低」である印刷ジョブは、利用者による指示があったときに実行される印刷ジョブであることを示す。
【００３９】
ジョブログ記憶領域１８４は、画像形成装置１０によって実行されたジョブの情報（以下、「ジョブログ」という）を記憶する領域である。ジョブログは、例えば、ジョブを実行した利用者の利用者ＩＤ、ジョブを実行した日時、ジョブの種類（例えば、コピー、ファクス、スキャン等）、ジョブによって出力した画像データの画像データ名が記憶される。
【００４０】
［１．２．２  撮像装置］
つづいて、本実施形態における撮像装置２０の機能構成を、図６に基づいて説明する。図６に示すように、撮像装置２０は、制御部２００と、撮像部２１０と、通信部２２０と、記憶部２３０とを備えて構成される。
【００４１】
制御部２００は、撮像装置２０の全体を制御するための機能部である。制御部２００は、各種プログラムを読み出して実行することにより各種機能を実現しており、例えば、１又は複数の演算装置（ＣＰＵ）等により構成されている。
【００４２】
撮像部２１０は、所定の領域を撮像し、撮影することにより得られる撮像データを記憶部２３０に確保された撮像データ記憶領域２３２に記憶する機能部である。撮像部２１０は、例えば、カメラといった画像入力装置と、画像入力装置の制御や撮像データの生成や記憶を行うコントローラとによって構成される。
【００４３】
通信部２２０は、撮像装置２０が外部の装置と通信を行うための機能部である。通信部２２０は、例えば、通信可能なインタフェースとして構成され、接続方法としては有線／無線の何れか又はその両方により実現される。
【００４４】
記憶部２３０は、各種データを記憶する機能部である。記憶部２３０は、例えば、ＳＤカード、コンパクトフラッシュ、ＵＳＢ（Universal Serial Bus）メモリといった可搬型の記憶媒体を用いて構成されてもよいし、ＨＤＤやＳＳＤによって構成されてもよい。
【００４５】
［１．３  処理の流れ］
図７を参照して、画像形成装置１０のメイン処理について説明する。はじめに、制御部１００は、撮像装置２０に記憶された撮像データに基づきイベントを検出する処理（イベント検出処理）を実行する（ステップＳ１１０）。イベント検出処理は、定期的に（例えば、毎日午前８時）実行されてもよいし、管理者等の指示により実行されてもよい。イベント検出処理の流れについて、図８を参照して説明する。
【００４６】
はじめに、制御部１００は、撮像装置情報記憶領域１７４から撮像装置情報を１件ずつ読み出す（ステップＳ１１０２）。つづいて、制御部１００は、読み出した撮像装置情報に記憶されたＩＰアドレスによって特定される撮像装置２０から撮像データを取得する（ステップＳ１１０４）。また、制御部１００は、撮像装置２０から取得した撮像データを、撮像データ記憶領域１７６に記憶する。
【００４７】
なお、ステップＳ１１０４において、制御部１００は、撮像装置２０から未取得の撮像データを取得してもよい。例えば、撮像データ記憶領域１７６に記憶されている撮像データのうち、最後に取得した撮像データの情報を撮像装置２０に送信する。撮像装置２０に送信する情報としては、タイムスタンプや撮像データのデータ名が考えられる。撮像装置２０の制御部２００は、画像形成装置１０から受信した情報に基づき特定される撮像データよりも、記憶日時が未来の撮像データを画像形成装置１０に送信する。このように、撮像データの情報に基づき、画像形成装置１０は未取得の撮像データを取得できる。
【００４８】
つづいて、イベント検出部１０２は、撮像データ記憶領域１７６から、これまでに読み出していない撮像データを読み出して、イベントを検出する（ステップＳ１１０６）。イベントを検出した場合は、イベント検出部１０２は、検出したイベントに関するイベント情報を制御部１００に出力する（ステップＳ１１０６；Ｙｅｓ→ステップＳ１１０８）。制御部１００は、イベント検出部１０２から出力されたイベント情報を、イベント情報１７８として記憶部１７０に記憶する（ステップＳ１１１０）。具体的には、制御部１００は、イベント検出部１０２から出力されるイベント詳細情報をイベント詳細情報１７８２として記憶し、対応画像データを対応画像データ１７８４として記憶する。また、制御部１００は、このとき記憶したイベント詳細情報１７８２と、対応画像データ１７８４とを関連づけて、イベント情報１７８として記憶する。なお、制御部１００は、ステップＳ１１１０で記憶するイベント情報１７８と、既に記憶部１７０に記憶されているイベント情報１７８とを区別するために、イベント情報１７８を一意に特定することが可能な識別番号等を、イベント情報１７８に含めて記憶してもよい。
【００４９】
すなわち、イベント検出部１０２によって、撮像データにおける変化が検知された場合、すなわち、イベントを検出した場合、イベント情報１７８が記憶部１７０に記憶されることとなる。
【００５０】
つづいて、制御部１００は、撮像装置情報記憶領域１７４に記憶された撮像装置情報を全て読み出した場合は、イベント検出処理を終了する（ステップＳ１１１２；Ｙｅｓ）。撮像装置情報を全て読み出していない場合は、ステップＳ１１０２へ戻る（ステップＳ１１１２；Ｎｏ→ステップＳ１１０２）。
【００５１】
上述の処理が実行されることにより、画像形成装置１０は、撮像装置２０から撮像データを取得し、取得した撮像データからイベントを検出し、イベント情報１７８として記憶することができる。
【００５２】
図７に戻り、つづいて、制御部１００は、ログイン処理を実行する（ステップＳ１２０）。ログイン処理については、イベント検出処理の流れについて、図９を参照して説明する。
【００５３】
はじめに、制御部１００は、利用者によってログイン操作がされたか否かを判定する（ステップＳ１２０２）。ログイン操作とは、例えば、利用者によって利用者ＩＤとパスワードとが入力され、ログインを行うためのボタンが選択される操作である。
【００５４】
利用者によってログイン操作がされた場合は、制御部１００は、利用者を認証し、認証が完了した場合は、ホーム画面を表示する（ステップＳ１２０４→ステップＳ１２０６）。利用者の認証は、例えば、制御部１００は、利用者によって入力された利用者ＩＤとパスワードとを含んだ利用者情報を利用者情報記憶領域１７２から検索する。検索した結果、利用者によって入力された利用者ＩＤとパスワードとを含んだ利用者情報が検索できた場合は、制御部１００は利用者の認証を完了したとして、ホーム画面を表示する処理を行う。なお、利用者によって入力された利用者ＩＤとパスワードとを含んだ利用者情報が見つからなかった場合は、利用者の認証ができなかったとして、制御部１００は、エラーを表示してもよい。
【００５５】
つづいて、制御部１００は、記憶部１７０にイベント情報１７８が記憶されているか否かを判定する（ステップＳ１２０８）。記憶部１７０にイベント情報１７８が記憶されている場合は、制御部１００は、ステップＳ１２０４で認証した利用者の属性が「管理者」であるか否かを判定する（ステップＳ１２０８；Ｙｅｓ→ステップＳ１２１０）。例えば、制御部１００は、ステップＳ１２０４において検索して見つけた利用者情報に記憶された属性が管理者か否かであるかを判定すればよい。
【００５６】
つづいて、制御部１００は、利用者の属性が「管理者」であると判定した場合は、制御部１００は、表示部１４０にイベント情報１７８が記憶されていることを内容とした第１の通知の表示を行う（ステップＳ１２１０；Ｙｅｓ→ステップＳ１２１２）。
【００５７】
第１の通知とは、表示部１４０の表示領域のうち、大部分を占める領域に表示される通知である。具体的には、制御部１００は、第１の通知として、表示部１４０に表示されるボタンや文字が隠れる程度の大きさの通知を表示する。第１の通知は表示部１４０の表示領域全体に表示されてもよいし、表示部１４０の表示領域よりも一回り小さい大きさで表示されてもよい。また、制御部１００は、第１の通知をいわゆるモーダルダイアログのように表示し、利用者（管理者）から通知に対する操作がされない限り、画像形成装置１０の機能を利用できないようにしてもよい。
【００５８】
したがって、記憶部１７０にイベント情報１７８が記憶されている場合、管理者は第１の通知の表示を消去しなければ、画像形成装置１０の利用が制限（阻害）されることとなる。この結果、画像形成装置１０は、管理者によって通知が見落とされる可能性を低くさせることができる。
【００５９】
なお、利用者（管理者）から、通知に対する所定の操作が入力された場合（例えば、通知に含まれる「詳細情報を確認」というボタンが選択された場合）、制御部１００は、イベント情報１７８を表示してもよい。このようにすることで、利用者（管理者）は、イベント情報１７８に含まれるイベント詳細情報１７８２や、対応画像データ１７８４を確認することができる。
【００６０】
一方で、ステップＳ１２１０において、利用者の属性が「管理者」ではないと判定した場合は、ステップＳ１２０４で認証した利用者は一般利用者であることとなる。この場合、制御部１００は、表示部１４０にイベント情報１７８が記憶されていることを内容とした第２の通知の表示を行う（ステップＳ１２１０；Ｎｏ→ステップＳ１２１４）。
【００６１】
第２の通知とは、第１の通知よりも小さく表示される通知である。具体的には、制御部１００は、第２の通知として、表示部１４０に表示されるボタン等が隠れない程度の大きさの通知を表示する。第２の通知の大きさは、例えば、アイコンや「通知が有ります」といった文字を含む吹き出しが表示できる程度の大きさである。また、第２の通知が表示される位置は、画像形成装置１０の状態に関する情報を表示するステータス領域の内部や、ステータス領域と動作モードを選択するボタンが表示される領域との境目や、表示部１４０の表示領域の隅とする。このように、第２の通知を、画像形成装置１０を操作するためのボタン等が隠れない程度の位置及び大きさとすることで、第２の通知が表示されても、一般利用者に対して、画像形成装置１０に対する操作の利便性を損なわないようにすることができる。
【００６２】
このように、ステップＳ１２０８〜ステップＳ１２１４の処理を実行することで、制御部１００は、イベント情報１７８が記憶されている場合に、利用者の属性に応じて、イベント情報１７８が記憶されていることを通知（報知）する方法を切り換える。より具体的には、制御部１００は、一般利用者に対する通知よりも、管理者に対する通知を大きく表示する。このようにすることで、一般利用者に対しては利便性を損なわないようにしつつ、管理者に対してはイベント情報が記憶されていることを見落とさないように、通知を前面に押し出すことができる。
【００６３】
つづいて、制御部１００は、利用者によってイベント情報１７８を削除する操作がされた場合は、利用者によって確認されたイベント情報１７８を削除する（ステップＳ１２１６；Ｙｅｓ→ステップＳ１２１８）。イベント情報１７８を削除する操作とは、例えば、イベント情報１７８の内容を表示した画面に設けられた「削除」ボタンが利用者によって選択される操作である。
【００６４】
なお、ステップＳ１２０８において、制御部１００は、イベント情報１７８が記憶されていないと判定した場合は（ステップＳ１２０８；Ｎｏ）、ステップＳ１２１０〜ステップＳ１２１８の処理をスキップする。この場合は、表示部１４０に通知が表示されることなく、ホーム画面が表示される。
【００６５】
ここで、ステップＳ１２１８でイベント情報１７８が記憶部１７０から全て削除され、次に利用者がログインするときまでにイベント情報１７８が記憶部１７０に新たに記憶されない場合が考えられる。この場合は、ステップＳ１２０８において、制御部１００は、イベント情報１７８が記憶されていないと判定し、イベント情報１７８が記憶されていることを内容とした通知を表示部１４０に表示する制御を行わない。したがって、管理者は、確認・対応したイベントに関するイベント情報１７８を削除することで、表示部１４０に通知が表示されないようにすることができる。
【００６６】
なお、制御部１００は、ステップＳ１２１４及びステップＳ１２１６における通知を表示する処理や、ステップＳ１２１８におけるイベント情報を削除する処理を実行したら、ジョブログ記憶領域１８４に、実行した処理に関するジョブログを記憶する。利用者は、ジョブログを確認することにより、画像形成装置１０がどのような方法で通知を表示したか、どのタイミングでイベント情報が削除されたかといったことを知ることができる。
【００６７】
［１．４  動作例］
図を参照して本実施形態の動作例を説明する。図１０は、本実施形態において、ホーム画面が表示部１４０に表示された後、イベント情報１７８が記憶されていることの通知が表示部１４０に表示されているときの画面の例である。
【００６８】
図１０（ａ）は、画像形成装置１０が認証した利用者の属性が管理者である場合、すなわち、管理者が画像形成装置１０を利用する場合に、イベント情報１７８が記憶されていることを示す通知Ｅ１００を表示させた表示画面Ｗ１００の例である。図１０（ａ）に示すように、通知Ｅ１００は、表示部１４０の表示領域よりも一回り小さい大きさで、ホーム画面に含まれるボタン等を隠すように表示される。
【００６９】
通知Ｅ１００には、例えば、イベント情報１７８を詳細に表示させるためのボタンＢ１００と、イベント情報１７８を簡易的に表示させるためのボタンＢ１０２と、通知Ｅ１００を消去させるためのボタンＢ１０４とが含まれる。
【００７０】
管理者によってボタンＢ１００が選択されたときは、画像形成装置１０は、表示部１４０に、後述する図１１に示す表示画面Ｗ１２０のように、イベント情報１７８を一覧で表示する画面を表示する。また、管理者によってボタンＢ１０２が選択されたときは、例えば、最後に記憶されたイベント情報１７８のイベント詳細情報や、記憶部１７０に記憶されているイベント情報１７８の数の情報を含んだ画面を表示させる。
【００７１】
管理者によってボタンＢ１０４が選択された場合は、画像形成装置１０は、通知Ｅ１００を消去する。この場合、管理者はホーム画面に含まれるボタンを選択することができるようになるが、イベント情報１７８は削除されない。したがって、管理者がログアウトをした後に、再度、同じ又は別の利用者がログインした場合、再度、表示部１４０に通知が表示されることとなる。
【００７２】
図１０（ｂ）は、画像形成装置１０が認証した利用者の属性が一般利用者である場合、すなわち、一般利用者が画像形成装置１０を利用する場合に、イベント情報１７８が記憶されていることを示す通知Ｅ１１０を表示させた表示画面Ｗ１１０の例である。図１０（ｂ）に示すように、通知Ｅ１１０は、図１０（ａ）の通知Ｅ１００よりも小さく、ホーム画面に含まれるボタン等を隠さないように表示される。利用者は、通知Ｅ１１０を見ることによりイベント情報１７８が記憶されていることを知ることができるが、通知が表示されていても、画像形成装置１０に対する通常の操作を行うことができる。
【００７３】
なお、利用者によって通知Ｅ１１０が選択された場合は、制御部１００は、表示部１４０に利用者ＩＤとパスワードとを入力する画面を表示させてもよい。画像形成装置１０は、利用者によって入力された利用者ＩＤとパスワードとが、利用者情報記憶領域１７２に記憶された何れかの利用者情報の利用者ＩＤとパスワードとに一致し、属性が管理者である場合は、後述する図１１に示す表示画面Ｗ１２０を表示させてもよい。このようにすることで、通知Ｅ１１０を確認した一般利用者は、管理者に対して通知Ｅ１１０が表示されていることを伝えることができる。また、管理者は、通知Ｅ１１０を選択して、イベント情報１７８を確認することができる。
【００７４】
図１１は、記憶部１７０に記憶されたイベント情報１７８を一覧で表示する表示画面Ｗ１２０の画面例である。表示画面Ｗ１２０には、イベント詳細情報１７８２に含まれる情報であるイベントが生じた日時や、対応画像データ１７８４を表示させるためのボタンＢ１２０や対応画像データ１７８４を印刷させるためのボタンＢ１２２が含まれる。画像形成装置１０の利用者は、ボタンＢ１２０やボタンＢ１２２を選択することで、イベントが生じた時点において撮像装置２０が撮像した画像を確認することができる。
【００７５】
なお、表示画面Ｗ１２０には、イベントが検出された撮像データの取得先となった撮像装置２０の情報（例えば、撮像装置ＩＤ）や、イベントの内容、イベントが生じた範囲等を表示してもよい。また、イベント情報１７８が複数記憶されている場合は、イベントが生じた日時順に、イベント詳細情報１７８２に含まれる情報や、ボタンＢ１２０及びボタンＢ１２２が並べて表示されればよい。
【００７６】
また、図１１に示した表示画面Ｗ１２０は、イベント情報１７８を一覧で表示する一例であり、例えば、対応画像のサムネールを、イベントが検出された日時の順に沿って並べた表示画面を表示してもよい。
【００７７】
なお、上述した実施形態の説明では、利用者の属性を、一般利用者と管理者のいずれかとしたが、属性の種類は３以上であっても構わない。この場合においても、画像形成装置１０は、イベント情報１７８が記憶されていることを、利用者の属性に応じた方法により切り替えて報知すればよい。また、ゲストユーザによる画像形成装置１０の利用を許可し、ゲストユーザとログイン済みユーザとで、イベント情報１７８が記憶されていることを報知する方法を切り替えてもよい。
【００７８】
また、イベント情報が記憶されている場合に、画像形成装置１０の利用者の属性に応じて切り替えて報知することができれば、システム１に含まれる装置の構成は適宜変更しても構わない。例えば、イベント検出部１０２を撮像装置２０に備えてもよいし、ネットワークＮＷ上の別の装置に備えてもよい。この場合、イベント情報は、撮像装置２０やネットワークＮＷ上の別の装置に記憶されてもよいし、撮像装置２０やネットワークＮＷ上の別の装置から画像形成装置１０へ送信されてもよい。また、撮像装置２０は撮像データをネットワークＮＷ上の記憶装置に記憶してもよい。この場合、画像形成装置１０は、撮像データをネットワークＮＷ上の記憶装置から取得すればよい。
【００７９】
また、上述した実施形態の説明では、撮像データは動画像のデータであるとして説明したが、静止画像のデータであってもよい。この場合、撮像装置２０は定期的に（例えば、１秒毎に）所定の領域の画像を撮像し、撮像した画像データを撮像データ記憶領域２３２に記憶すればよい。また、イベント検出部１０２は、撮像データ記憶領域２３２に記憶された静止画像データを取得し、取得した静止画像データから選択した２つの静止画像データの差分に基づき、イベントを検出すればよい。
【００８０】
また、ステップＳ１２１６〜Ｓ１２１８の処理によりイベント情報を削除する代わりに、管理者によってイベント情報が確認された場合は、確認されたことを示す情報をイベント情報１７８に記憶してもよい。このようにすることで、確認済みのイベント情報１７８が記憶されたままとなり、管理者は、イベント情報１７８を一覧に表示させることで、確認済みのイベント情報１７８と未確認のイベント情報１７８とを確認することができる。
【００８１】
本実施形態によれば、イベント情報が記憶されている場合、報知する方法を画像形成装置の利用者の属性に応じて切り替えて、報知することが可能となる。このようにすることで、画像形成装置の利用者が一般利用者である場合は、画像形成装置に対する操作の極力利便性を損なわないようにすることができる。一方で、画像形成装置の利用者が管理者である場合は、報知を優先させることで、見落としがされないようにすることができる。
【００８２】
［２．第２実施形態］
つづいて第２実施形態について説明する。第２実施形態は第１実施形態と異なり、表示部１４０に通知を表示する方法以外の方法によっても、イベント情報が記憶されていることを報知する実施形態である。本実施形態は、第１実施形態の図２を図１２に、図７を図１３に、図９を図１４に、それぞれ置き換えたものである。なお、同一の機能部及び処理には同一の符号を付し、説明については省略する。
【００８３】
本実施形態における画像形成装置１２の機能構成を図１２に示す。画像形成装置１２は、画像形成装置１０と異なり、報知部１９０を更に備えている。
【００８４】
報知部１９０は、音声や光を発することによって、画像形成装置１２の利用者に対して画像形成装置１２の状態を伝達する機能部である。音声出力部１９２は、音声を出力する機能部であり、例えば、スピーカーによって構成される。また、発光部１９４は、点灯又は消灯が可能な光源を備える機能部であり、例えば、発光ダイオード等のランプによって構成される。
【００８５】
つづいて、本実施形態における画像形成装置１２のメイン処理の流れを、図１３を参照して説明する。まず、制御部１００はイベント検出処理を実行したら、つづいて、記憶部１７０にイベント情報１７８が記憶されているか否かを判定する（ステップＳ２０２）。イベント情報１７８が記憶されている場合は、制御部１００は、イベント情報１７８を印刷によって出力するための画像データを生成し、画像データ記憶領域１８０に記憶する（ステップＳ２０２；Ｙｅｓ→ステップＳ２０４）。
【００８６】
また、本実施形態における画像形成装置１２のログイン処理の流れを図１４に示す。本実施形態では、利用者の属性が「管理者」の場合、制御部１００は、ステップＳ２０４で記憶した画像データを印刷する印刷ジョブの優先度を「高」にして、印刷キュー１８２に記憶する（ステップＳ２２０２）。また、制御部１００は、報知部１９０を制御して、イベント情報１７８が記憶されていることを示す報知を行う（ステップＳ２２０４）。
【００８７】
ステップＳ２２０４においては、例えば、制御部１００は、音声を発することによって報知を行う場合は、音声出力部１９２からビープ音やアラーム音、イベント情報１７８が記憶されていることを案内する音声を出力する制御を行う。また、制御部１００は、光を発することによって報知を行う場合は、発光部１９４を点灯させる制御を行う。また、制御部１００は、発光部１９４を点灯させたり、消灯させたりする制御を行うことで、発光部１９４を明滅（点滅）させてもよい。
【００８８】
一方で、利用者の属性が「一般利用者」の場合、制御部１００は、ステップＳ２０４で記憶した画像データを印刷する印刷ジョブの優先度を「低」にして、印刷キュー１８２に記憶する（ステップＳ２２０６）。
【００８９】
なお、制御部１００は、ステップＳ２０４において画像データを生成した場合や、ステップＳ２２０４において報知部１９０によって報知を行う処理を実行した場合は、ジョブログ記憶領域１８４に、実行した処理に関するジョブログを記憶する。
【００９０】
本実施形態の動作例を、図１５を参照して説明する。図１５（ａ）は、管理者が画像形成装置１２を使用する場合における、ジョブの実行状況を表示する表示画面Ｗ２００の例である。表示画面Ｗ２００には、印刷キュー１８２に基づき、印刷ジョブの情報が表示される。なお、コピージョブやスキャンジョブといった、印刷ジョブ以外のジョブが表示画面Ｗ２００に表示されてもよい。
【００９１】
図１５（ａ）の領域Ｊ２００は、イベント情報１７８を印刷する印刷ジョブの情報が表示された領域である。領域Ｊ２００に示すように、イベント情報１７８を印刷する印刷ジョブの優先度は「高」である。したがって、画像形成装置１２は、優先度が「通常」である印刷ジョブよりもイベント情報１７８を印刷する印刷ジョブを優先的に実行し、イベント情報１７８を印刷する。
【００９２】
このように、画像形成装置１２の利用者が管理者である場合は、イベント情報１７８を印刷する印刷ジョブが優先的に実行される。したがって、画像形成装置１２は、管理者がイベント情報１７８を印刷による報知を行うことができる。
【００９３】
図１５（ｂ）は、一般利用者が画像形成装置１２を使用する場合における、ジョブの実行状況を表示する表示画面Ｗ２１０の例である。図１５（ｂ）の領域Ｊ２１０は、イベント情報１７８を印刷する印刷ジョブの情報が表示された領域であるが、図１５（ａ）の領域Ｊ２００と異なり、優先度は「低」である。したがって、画像形成装置１２は、優先度が「高」や「通常」である印刷ジョブが先に実行される。
【００９４】
このように、画像形成装置１２の利用者が一般利用者である場合は、利用者の印刷ジョブの実行を妨げないようにすることができる。
【００９５】
なお、上述した実施形態の説明では、音声、光、印刷による報知を行う方法について説明したが、そのうちの一部の方法を省略しても構わず、また、画像形成装置１２には、報知に必要な機能部のみを備えてもよい。例えば、音声による報知を行わない場合は、音声出力部１９２を備えなくてもよく、また、ステップＳ２０４において、制御部１００は音声出力部１９２を制御する処理を省略する。どの方法により、イベント情報１７８が記憶されていることを報知するかについては、予め定められていてもよいし、画像形成装置１２の管理者等により設定可能としてもよい。
【００９６】
また、上述した実施形態の説明では、イベント情報１７８を印刷するための画像データ（イベント情報１７８の画像データ）の生成をログイン処理の前に行ったが、ログイン処理の後に行っても構わない。具体的には、制御部１００は、属性が「管理者」である利用者がログインしたときにイベント情報１７８の画像データを生成して画像データ記憶領域１８０に記憶する。また、イベント情報１７８の画像データを印刷する印刷ジョブを印刷キュー１８２に記憶する。管理者のログアウト時に、イベント情報１７８の画像データが未印刷であれば、制御部１００は、イベント情報１７８の画像データを画像データ記憶領域１８０から削除し、イベント情報１７８の画像データを印刷する印刷ジョブを印刷キュー１８２から削除する。
【００９７】
本実施形態によれば、イベント情報が記憶されている場合、報知する方法を画像形成装置１２の利用者の属性に応じて切り替えて、音声、光、印刷による出力によって報知することが可能となる。特に、通常の画像形成装置はＮＶＲ等の専用機器に比べ、報知に利用可能な手段が限られているため、報知部を備えることで、有効な報知を行うことが可能となる。
【００９８】
［３．第３実施形態］
つづいて第３実施形態について説明する。第３実施形態は第１実施形態と異なり、ネットワークに接続された他の装置にも、イベント情報が記憶されていることを報知する実施形態である。本実施形態は、第１実施形態の図１を図１６に、図３を図１７に、図７を図１９に、それぞれ置き換えたものである。なお、同一の機能部及び処理には同一の符号を付し、説明については省略する。
【００９９】
本実施形態におけるシステム２の全体構成を、図１６に示す。図１６に示すように、システム２は、画像形成装置１０と、撮像装置２０と、情報処理装置３０と、メールサーバ４０とがネットワークＮＷを介して接続されて構成される。
【０１００】
情報処理装置３０は、例えばＰＣ（Personal Computer）や、タブレットやスマートフォンといった装置であり、画像形成装置１０の利用者によって使用される装置である。なお、図１６の３０ａ、３０ｂに示すように、情報処理装置３０は、１つのネットワーク内に複数接続されてもよい。
【０１０１】
メールサーバ４０は、メールの送受信を行う情報処理装置である。なお、図１６に示すように、ネットワークＮＷにメールサーバ４０が接続されていてもよいし、画像形成装置１０にメールサーバの機能が備えられていてもよい。
【０１０２】
本実施形態において、画像形成装置１０によって記憶される利用者情報を図１３に示すように、第１実施形態の利用者情報に、さらに、ネットワークＮＷにおいて情報処理装置３０を識別するために割り振られたＩＰアドレス（例えば、「192.168.0.101」）と、メールアドレス（例えば、「yamada@example.com」）とが記憶される。
【０１０３】
利用者情報に記憶されるＩＰアドレスやメールアドレスは、利用者が使用する情報処理装置３０のＩＰアドレスや、利用者が受信可能なメールアドレスが記憶される。
【０１０４】
本実施形態における情報処理装置３０の機能構成を図１８に基づいて説明する。図１８に示すように、情報処理装置３０は、制御部３００と、表示部３１０と、操作入力部３２０と、通信部３３０と、記憶部３４０とを備えて構成される。
【０１０５】
制御部３００は、情報処理装置３０の全体を制御するための機能部である。制御部３００は、各種プログラムを読み出して実行することにより各種機能を実現しており、例えば、１又は複数の演算装置（ＣＰＵ）等により構成されている。
【０１０６】
表示部３１０は、利用者に各種情報を表示するための機能部であり、例えばＬＣＤ等により構成されている。また、操作入力部３２０は、利用者による操作指示を受け付けるための機能部であり、例えば、キーボードやマウスといった装置によって構成される。
【０１０７】
通信部３３０は、情報処理装置３０が外部の装置と無線通信を行うための機能部である。通信部３３０は、例えば、無線ＬＡＮで利用されるＮＩＣや、ＬＴＥ（Long Term Evolution）／ＬＴＥ−Ａ（LTE-Advanced）／ＬＡＡ（License-Assisted Access using LTE）／５Ｇ回線に接続可能な通信モジュールにより構成される。
【０１０８】
記憶部３４０は、情報処理装置３０の動作に必要な各種プログラムや、各種データを記憶する機能部である。記憶部３４０は、例えば、半導体メモリであるＳＳＤや、ＨＤＤ等により構成される。
【０１０９】
記憶部３４０には、ステータスモニタプログラム３４２が記憶される。ステータスモニタプログラム３４２は、画像形成装置１０から受信した情報に基づき、画像形成装置１０の状態を表示するプログラムである。
【０１１０】
画像形成装置１０から情報処理装置３０に送信される情報としては、実行が完了したジョブの情報や、トナーの残量といった情報が含まれる。また、画像形成装置１０から情報処理装置３０に、イベント情報１７８が送信される。
【０１１１】
本実施形態における画像形成装置１０のメイン処理を、図１９を参照して説明する。制御部１００はイベント検出処理を実行したら、つづいて、記憶部１７０にイベント情報１７８が記憶されているか否かを判定する（ステップＳ３０２）。
【０１１２】
イベント情報１７８が記憶されている場合は、制御部１００は、利用者情報記憶領域１７２から、属性が「管理者」である利用者情報を読み出す（ステップＳ３０２；Ｙｅｓ→ステップＳ３０４）。つづいて、制御部１００は、読み出した利用者情報に記憶されているＩＰアドレスやメールアドレスを送信先として、イベント情報１７８を送信する（ステップＳ３０６）。
【０１１３】
例えば、制御部１００は、利用者情報に記憶されたＩＰアドレスを送信先として、イベント情報１７８を送信する。この場合は、管理者が使用する情報処理装置３０には、ステータスモニタプログラム３４２によって、画像形成装置１０から受信したイベント情報１７８が表示される。管理者は、ステータスモニタプログラム３４２によって表示されたイベント情報を確認することで、画像形成装置１０にイベント情報１７８が記憶されていることや、検出されたイベントの詳細情報を知ることができる。
【０１１４】
また、制御部１００は、利用者情報に記憶されたメールアドレスを送信先として、イベント情報１７８を内容としたメールをメールサーバ４０に送信する。この場合は、管理者は、メールサーバ４０に記憶されたメールを受信することで、画像形成装置１０にイベント情報１７８が記憶されていることや、検出されたイベントの詳細情報を知ることができる。
【０１１５】
つづいて、制御部１００は、ログイン処理を実行する（ステップＳ１２０）。なお、イベント情報１７８が記憶されていない場合は、ステップＳ３０４及びステップＳ３０６をスキップして、制御部１００は、ログイン処理を実行する（ステップＳ３０２；Ｎｏ→ステップＳ１２０）。
【０１１６】
また、制御部１００は、ステップＳ３０６においてイベント情報を他の装置に送信した場合は、ジョブログ記憶領域１８４に、に実行した処理に関するジョブログを記憶する。
【０１１７】
本実施形態の動作例を、図２０を参照して説明する。図２０（ａ）は、管理者が使用する情報処理装置３０において、ステータスモニタプログラム３４２が実行された場合に表示部３１０に表示される表示画面Ｗ３００の例である。表示画面Ｗ３００には、画像形成装置１０から受信したイベント情報１７８の詳細情報を表示する領域Ｅ３００や、対応画像データ１７８４を表示するボタンＢ３００や、対応画像データ１７８４を画像形成装置１０で印刷するボタンＢ３０２が含まれる。
【０１１８】
図２０（ｂ）は、一般利用者が使用する情報処理装置３０において、ステータスモニタプログラム３４２が実行された場合に表示部３１０に表示される表示画面Ｗ３１０の例である。一般利用者が使用する情報処理装置３０には、完了したジョブの情報等が画像形成装置１０から送信されるが、イベント情報は送信されない。したがって、表示画面Ｗ３１０には、例えば完了したジョブの情報が表示される。
【０１１９】
なお、画像形成装置１０は、情報処理装置３０に対してイベント情報を送信する方法と、イベント情報を内容としたメールを送信する方法の何れか一方の方法により報知してもよく、報知方法を管理者等によって設定されてもよい。また、上述した方法以外の方法により、画像形成装置が情報処理装置に対して、イベント情報１７８が記憶されていることを報知してもよい。例えば、画像形成装置は、利用者内で使用されるチャットシステムにイベント情報を投稿してもよい。
【０１２０】
また、画像形成装置１０は、イベント情報そのものを情報処理装置３０やメールサーバ４０に送信するのではなく、イベント情報が記憶されていることや、記憶されているイベント情報の数といった、イベント情報の概要を示す情報を送信してもよい。
【０１２１】
また、画像形成装置１０は、イベント情報が記憶されていないことを示す情報を送信してもよい。ステータスモニタプログラム３４２が、イベント情報が記憶されていないことを示す情報を表示することで、管理者は、イベントが発生していないことを確認することができる。
【０１２２】
本実施形態によれば、イベント情報が記憶されている場合、画像形成装置の利用者の属性に応じて、画像形成装置の利用者が使用する情報処理装置に報知することが可能となる。
【０１２３】
［４．第４実施形態］
つづいて第４実施形態について説明する。第４実施形態は、第２実施形態で説明したように、音声、光、印刷による出力によって報知する制御を、画像形成装置１２の動作状態に応じて行う実施形態である。本実施形態は、第２実施形態の図１３を図２２に置き換えたものである。なお、同一の機能部及び処理には同一の符号を付し、説明については省略する。
【０１２４】
本実施形態では、画像形成装置１２は動作状態として、通常状態と省エネ状態の何れかによる状態により動作する。通常状態とは、画像形成装置１２に備えられた全ての機能が使用できる状態である。省エネ状態とは、画像形成装置１２に備えられた一部の機能しか使用できない状態であり、画像形成装置１２の電力消費が抑えられる。すなわち、省エネ状態とは、画像形成装置１２が、いわゆる節電モードやスリープモードといったモードで動作する状態である。
【０１２５】
通常状態から省エネ状態へは、例えば、現在の時刻が画像形成装置１２の管理者等によって設定されたスケジュールにより設定された時間帯に含まれる場合や、利用者による使用が一定時間なかった場合に切り替わる。
【０１２６】
本実施形態におけるシステム３の全体構成を、図２１に示す。図２１に示すように、システム３は、画像形成装置１２と、撮像装置２０と、情報処理装置３０と、メールサーバ４０とがネットワークＮＷを介して接続されて構成される。
【０１２７】
なお、本実施形態における画像形成装置１２の利用者情報記憶領域には、第２実施形態と同様に、ＩＰアドレスやメールアドレスが記憶されていることとする。
【０１２８】
つづいて、本実施形態のメイン処理を、図２２を参照して説明する。まず、制御部１００はイベント検出処理を実行したら、つづいて、記憶部１７０にイベント情報１７８が記憶されているか否かを判定する（ステップＳ４０２）。イベント情報１７８が記憶されている場合は、制御部１００は、画像形成装置１２の動作状態が省エネ状態であるか否かを判定する（ステップＳ４０４）。
【０１２９】
動作状態が省エネ状態でない場合、すなわち、通常状態である場合は、制御部１００はイベント情報１７８が記憶されていることを、表示部１４０や報知部１９０を制御して報知する（ステップＳ４０４；Ｎｏ→ステップＳ４０６）。例えば、制御部１００は、表示部１４０に、イベント情報が記憶されていることを示す画面を表示する制御を行う。また、第２実施形態のステップＳ２２０４と同様に、制御部１００は、表示部１４０に通知を表示したり、音声出力部１９２から音声を発する制御を実行したり、発光部１９４から光を発する制御を実行したりする。
【０１３０】
また、制御部１００は、ネットワークＮＷ上の他の装置にイベント情報を送信する（ステップＳ４０８）。具体的には、イベント情報１７８を管理者が使用する情報処理装置３０に送信したり、管理者のメールアドレスを送信先としてイベント情報を内容としたメールをメールサーバ４０に送信したりする。
【０１３１】
また、制御部１００は、第２実施形態のステップＳ２０４と同様に、イベント情報１７８を印刷によって出力するための画像データを生成し、画像データ記憶領域１８０に記憶する（ステップＳ４１０）。そして、ステップＳ４１０で記憶した画像データを印刷によって出力することで、イベント情報１７８が記憶されていることを報知する（ステップＳ４１２）。なお、ステップＳ４１２においては、制御部１００は、既に印刷したイベント情報１７８の画像データは印刷しないようにしてもよい。
【０１３２】
一方で、動作状態が省エネ状態である場合は（ステップＳ４０４；Ｙｅｓ）、制御部１００は、ステップＳ４０６〜ステップＳ４１２の処理を実行しない。すなわち、制御部１００は、イベント情報１７８が記憶されている場合であっても、動作状態が省エネ状態であれば報知を行わない。
【０１３３】
なお、制御部１００は、ステップＳ４０６、ステップＳ４０８、ステップＳ４１２で実行する報知の方法のうち、そのうちの１つを実行してもよいし、いくつか組み合わせて実行してもよい。また、制御部１００が実行する報知の方法は、例えば、管理者等によって設定可能としてもよい。
【０１３４】
また、動作状態が省エネ状態である場合であっても、省エネ状態において使用可能な機能を用いて、イベントを検出したこと報知してもよい。例えば、動作状態が省エネ状態であっても、発光部１９４から光を発する機能が使用可能である場合は、制御部１００は、発光部１９４から光を発する制御を実行してもよい。
【０１３５】
なお、制御部１００は、ステップＳ４０６、ステップＳ４０８、ステップＳ４１２で実行した処理に関するジョブログを、ジョブログ記憶領域１８４に記憶する。このようにすることで、どのタイミングでどのような報知を行ったかを、利用者がジョブログを参照することで確認することができる。
【０１３６】
このように、本実施形態によれば、イベント情報が記憶されている場合において、画像形成装置１２の動作状態に応じて報知の有無を切り替えたり、報知の方法を切り換えたりすることが可能となる。
【０１３７】
また、画像形成装置１２の動作状態が省エネ状態である場合に、通常状態と比べて報知する方法を少なくしたり、報知自体を行わないようにしたりすることができる。画像形成装置１２の動作状態が省エネ状態である場合は、管理者も含め画像形成装置１２の近くにいない可能性が高く、イベント情報が記憶されていることの報知をしても確認がされないと考えられる。したがって、本実施形態は、省エネ状態を優先させることが利用者によって所望される場合に有効である。
【０１３８】
［５．第５実施形態］
つづいて第５実施形態について説明する。第５実施形態は、第４実施形態とは異なり、動作状態が省エネ状態であっても、イベント情報が記憶されている場合は、省エネ状態を解除して通常状態に移行した上で報知を行う実施形態である。本実施形態は、第４実施形態の図２２を図２３に置き換えたものである。なお、同一の機能部及び処理には同一の符号を付し、説明については省略する。
【０１３９】
本実施形態のメイン処理を、図２３を参照して説明する。まず、制御部１００はイベント検出処理を実行したら、つづいて、記憶部１７０にイベント情報１７８が記憶されているか否かを判定する（ステップＳ５０２）。イベント情報１７８が記憶されている場合は、制御部１００は、画像形成装置１２の動作状態が省エネ状態であるか否かを判定する（ステップＳ５０４）。
【０１４０】
動作状態が省エネ状態である場合は、制御部１００は、省エネ状態を解除して、動作状態を通常状態にする（ステップＳ５０４；Ｙｅｓ→ステップＳ５０６）。つづいて、第４実施形態と同様に、制御部１００は、ステップＳ４０６〜ステップＳ４１２の処理を実行して、表示部１４０及び報知部１９０による報知、イベント情報を送信することによる報知、イベント情報を印刷することによる報知を実行する。
【０１４１】
なお、第４実施形態と同様に、報知の方法は、上述した方法のうちの１つを実行してもよいし、いくつか組み合わせて実行してもよい。また、制御部１００が実行する報知の方法は、例えば、管理者等によって設定可能としてもよい。
【０１４２】
また、制御部１００は、ステップＳ４０６、ステップＳ４０８、ステップＳ４１２で実行した処理に関するジョブログを、ジョブログ記憶領域１８４に記憶する。このようにすることで、どのタイミングでどのような報知を行ったかを、利用者がジョブログを参照することで確認することができる。
【０１４３】
このように、本実施形態によれば、イベント情報が記憶されている場合において、画像形成装置１２の管理者への報知を優先させることが利用者によって所望される場合に有効である。
【０１４４】
［６．第６実施形態］
つづいて第６実施形態について説明する。第６実施形態は、第４実施形態及び第５実施形態とは異なり、イベント情報が記憶されている場合に、人感センサが人を検知したときに連動して報知を行う実施形態である。本実施形態は、第４実施形態の図２２を図２４に置き換えたものである。なお、同一の機能部及び処理には同一の符号を付し、説明については省略する。
【０１４５】
本実施形態では、第４実施形態の図２１に示したシステム３において、画像形成装置１２の代わりに画像形成装置１４がネットワークＮＷに接続される。また、本実施形態における画像形成装置１４の機能構成を図２４に示す。画像形成装置１４は、画像形成装置１０とは異なり、第２実施形態で説明した報知部１９０と、人感センサ１９５とを更に備えている。人感センサ１９５は、画像形成装置１４の周囲に人がいるか否かを検知するセンサである。人感センサ１９５は、例えば、赤外線を画像形成装置１４の周囲の範囲に投光し、反射が遮られた場合に、画像形成装置１４の周囲に人がいることを検知する。
【０１４６】
本実施形態のメイン処理を、図２５を参照して説明する。まず、制御部１００はイベント検出処理を実行したら、つづいて、記憶部１７０にイベント情報１７８が記憶されているか否かを判定する（ステップＳ６０２）。
【０１４７】
イベント情報１７８が記憶されている場合は、制御部１００は、第４実施形態のステップＳ４０８と同様に、ネットワークＮＷ上の他の装置にイベント情報を送信する（ステップＳ６０２；Ｙｅｓ→ステップＳ６０４）。また、制御部１００は、第４実施形態のステップＳ４１０と同様に、イベント情報１７８を印刷によって出力するための画像データを生成し、画像データ記憶領域１８０に記憶する（ステップＳ６０６）。
【０１４８】
つづいて、制御部１００は、人感センサ１９５によって、画像形成装置１４の周囲に人がいることを検知されているか否かを判定する（ステップＳ６０８）。人がいることを検知されている場合は、制御部１００は、第４実施形態のステップＳ４０６と同様に、表示部１４０や報知部１９０を制御して報知を行う（ステップＳ６０８；Ｙｅｓ→ステップＳ６１０）。また、制御部１００は、ステップＳ６０６で記憶したイベント情報１７８の画像データを印刷によって出力することで、イベント情報１７８が記憶されていることを報知する（ステップＳ６１２）。なお、ステップＳ６１２においては、制御部１００は、既に印刷したイベント情報１７８の画像データは印刷しないようにしてもよい。
【０１４９】
上述した処理により、制御部１００は、周囲に人がいるか否かに関わらず、イベント情報を情報処理装置３０に送信する。また、制御部１００は、周囲に人がいる場合は、報知部１９０を制御したりイベント情報１７８を印刷によって出力したりすることによる報知を行う。
【０１５０】
なお、第４実施形態と同様に、報知の方法は、上述した方法のうちの１つを実行してもよいし、いくつか組み合わせて実行してもよい。また、制御部１００が実行する報知の方法は、例えば、管理者等によって設定可能としてもよい。
【０１５１】
なお、制御部１００は、ステップＳ６０４、ステップＳ６１０、ステップＳ６１２で実行した処理に関するジョブログを、ジョブログ記憶領域１８４に記憶する。このようにすることで、どのタイミングでどのような報知を行ったかを、利用者がジョブログを参照することで確認することができる。
【０１５２】
本実施形態によれば、人感センサが人の存在を検知していない場合は、管理者を含め人が画像形成装置１４の周囲にいない状況であるため、報知を抑制することができる。したがって、余計な音声や光を発することにより、オフィス等、画像形成装置１４が設置されている環境を乱す可能性を低くすることができる。
【０１５３】
一方で、画像形成装置１４の周囲に人がいない場合であっても、管理者に対して、イベント情報を送信するため、管理者に対しては報知を行うことができる。
【０１５４】
［７．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１５５】
また、上述した実施形態は、説明の都合上、それぞれ別に説明している部分があるが、技術的に可能な範囲で組み合わせて実行してもよいことは勿論である。
【０１５６】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭ（Read Only Memory）やＨＤＤ等の記憶装置に格納され、必要に応じてＣＰＵによって読み出し、修正・書き込みが行なわれる。
【０１５７】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ（Blu-ray Disc）（登録商標）等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１５８】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１５９】
１、２、３  システム
１０、１２、１４  画像形成装置
１００  制御部
１０２  イベント検出部
１１０  画像読取部
１２０  画像処理部
１３０  画像形成部
１４０  表示部
１５０  操作入力部
１６０  通信部
１７０  記憶部
１７２  利用者情報記憶領域
１７４  撮像装置情報記憶領域
１７６  撮像データ記憶領域
１７８  イベント情報
１７８２  イベント詳細情報
１７８４  対応画像データ
１８０  画像データ記憶領域
１８２  印刷キュー
１８４  ジョブログ記憶領域
１９０  報知部
１９２  音声出力部
１９４  発光部
１９５  人感センサ
２０  撮像装置
２００  制御部
２１０  撮像部
２２０  通信部
２３０  記憶部
２３２  撮像データ記憶領域
３０  情報処理装置
３００  制御部
３１０  表示部
３２０  操作入力部
３３０  通信部
３４０  記憶部
３４２  ステータスモニタプログラム
４０  メールサーバ
【図１】
2020178188.tif 000003
【図２】
2020178188.tif 000004
【図３】
2020178188.tif 000005
【図４】
2020178188.tif 000006
【図５】
2020178188.tif 000007
【図６】
2020178188.tif 000008
【図７】
2020178188.tif 000009
【図８】
2020178188.tif 000010
【図９】
2020178188.tif 000011
【図１０】
2020178188.tif 000012
【図１１】
2020178188.tif 000013
【図１２】
2020178188.tif 000014
【図１３】
2020178188.tif 000015
【図１４】
2020178188.tif 000016
【図１５】
2020178188.tif 000017
【図１６】
2020178188.tif 000018
【図１７】
2020178188.tif 000019
【図１８】
2020178188.tif 000020
【図１９】
2020178188.tif 000021
【図２０】
2020178188.tif 000022
【図２１】
2020178188.tif 000023
【図２２】
2020178188.tif 000024
【図２３】
2020178188.tif 000025
【図２４】
2020178188.tif 000026
【図２５】
2020178188.tif 000027